Podtech/llm-jp-corpus-v4-ja_patent huggingface dataset:
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
ＣＯ２吸収ユニットから誘導されるＣＯ２リッチ液体吸着剤ストリームから二酸化炭素を分離および回収する方法であって、
ａ．ＣＯ２リッチ液体吸着剤の温度を、前記ストリームを加圧下で導管において加熱ゾーン（３０）へ通すことによってＣＯ２収着温度から所定の脱離温度まで上昇させる工程、
ｂ．加熱加圧ＣＯ２リッチ液体吸着剤を、概して線形流路内の吸着剤導管へ通す工程、
ｃ．加熱ＣＯ２リッチ液体吸着剤ストリームを減圧条件下で吸着剤導管（４２）からサイクロン部材（４３）の入口部分へ導入してＣＯ２リッチ液体吸着剤からのＣＯ２の脱着を開始させ、その後に、液体吸着剤ストリームを、液体吸着剤の非乱流を維持しながら、減少する曲率半径で終結するサイクロン部材（４３）の螺旋セクション（４３ｂ）に通す工程、
ｄ．液体吸着剤および脱着したＣＯ２を、密閉円筒形サイクロン垂直セクション（４７）の上部セクションへ入口（４５）より通す工程と、
ｅ．サイクロン垂直セクション（４７）の中央開口領域内の吸着剤から脱着したＣＯ２を回収し、該ＣＯ２をサイクロン垂直セクションの上部領域と流体連通するＣＯ２排出ライザー出口（４４）に通す工程、
ｆ．前記サイクロン垂直セクションの底部において、前記ＣＯ２が脱着されたＣＯ２リーン液体吸着剤ストリームを回収する工程、および
ｇ．ＣＯ２リーン吸着剤ストリームをＣＯ２吸収ユニットへ再循環する工程
を含む、方法。
【請求項２】
ｈ．ライザー出口（４４）から回収したＣＯ２を凝縮ゾーンにおいて凝縮器（７０）へ通して、水蒸気および液体吸着剤から脱着した他の化合物からＣＯ２を分離する工程、および
ｉ．凝縮ゾーンからＣＯ２ガスの実質的に純粋なストリームを回収する工程
を含む、請求項１に記載の方法。
【請求項３】
前記サイクロン垂直セクション（４７）は概して円形断面である、請求項１に記載の方法。
【請求項４】
前記円形断面の直径は均一である、請求項３に記載の方法。
【請求項５】
前記サイクロン部材（４３）の断面積がその長さにわたって増加する、請求項１に記載の方法。
【請求項６】
前記サイクロン部材（４３）は、入口部分とサイクロン垂直セクション（４７）の入口（４５）との間に１５０°〜２５０°の範囲の角に外接する、請求項１に記載の方法。
【請求項７】
液体吸着剤は、サイクロン垂直セクション（４７）中へ通す前に、入口（４５）に近接するサイクロン部材（４３）において下向き螺旋の経路を進む、請求項１に記載の方法。
【請求項８】
前記サイクロン部材（４３）の流路は、異なった直径を有する円弧状セクションから構成される、請求項１に記載の方法。
【請求項９】
工程１（ｇ）からのＣＯ２リーン吸着剤再生ストリームを、ＣＯ２脱着ユニットからのＣＯ２リッチ吸着剤との熱交換に通過させる、請求項１に記載の方法。
【請求項１０】
液体吸着剤がＫ２ＣＯ３の水溶液であり、吸着剤が工程１（ａ）において８０℃〜８５℃の範囲の温度に加熱される、請求項１に記載の方法。
【請求項１１】
再生ＣＯ２リーン吸着剤の温度は、ＣＯ２吸収ユニットに戻すために４０℃以下に低下する、請求項９に記載の方法。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
構造において式（Ｉ−ｂ）に相当する第１の化合物：
【化１】
2017537066.tif 000001
もしくは該化合物の医薬として許容される塩および；
構造において式（ＩＩ−ｂ）に相当する第２の化合物：
【化２】
2017537066.tif 000002
もしくは該化合物の医薬として許容される塩、
を含む医薬組成物であり、
該組成物は、皮下投与に好適な水系組成物である、医薬組成物。
【誤訳訂正書】
【提出日】平成30年12月27日(2018.12.27)
【誤訳訂正１】
【訂正対象書類名】明細書
【訂正対象項目名】００２０
【訂正方法】変更
【訂正の内容】
【００２０】
より詳細には、本発明は、溶媒中に存在する水の量が有機溶媒の１０体積パーセント（体積％）以下である連続フロープロセスに関する。体積パーセントは、２つの溶媒の体積対体積の比を意味する。例えば、１０体積％とは、第１の溶媒と第２の溶媒の１０：９０の比を意味する。例えば、本発明においては、有機溶媒中の１０体積％の水は、水と有機溶媒との体積比が１０：９０であることを意味する。本発明は、有機溶媒に存在する水の体積％が、０超−３０体積％であるか、又は０超−２０体積％である場合に行うことができる。好ましい実施形態において、有機溶媒に存在する水の体積％が、０超−１０体積％以下である。例えば、有機溶媒中に存在する水の体積％は、約５体積％、約１体積％又は約０．２５体積％であることができる。
【誤訳訂正２】
【訂正対象書類名】明細書
【訂正対象項目名】００３３
【訂正方法】変更
【訂正の内容】
【００３３】
Ｃ１−Ｃ５アルキルチオール塩とは、Ｃ１−Ｃ５アルキルチオールのアルカリ金属塩又はアルカリ土類金属塩を意味する。具体的には、Ｃ１−Ｃ５アルキルチオール塩は、カチオンがナトリウム、カリウム、リチウム、マグネシウム及びカルシウムからなる群から選択される場合の塩の形態のＣ１−Ｃ５アルキルチオールを意味する。具体的には、Ｃ１〜Ｃ５アルキルチオール塩とは、ＮａＳＣＨ３、ＫＳＣＨ３、Ｃａ（ＳＣＨ３）２、及びＭｇ（ＳＣＨ３）２からなる群の一種または二種以上から選択されるＣ１〜Ｃ５アルキルチオールを意味する。
【誤訳訂正３】
【訂正対象書類名】明細書
【訂正対象項目名】００４４
【訂正方法】変更
【訂正の内容】
【００４４】
本発明の方法において、固体ルイス酸触媒のフレームワーク構造は、ＢＥＡ、ＭＦＩ、ＦＡＵ、ＭＯＲ、ＦＥＲ及びＭＷＷ並びにＭＣＭ−４１及びＳＢＡ−１５のような材料からなる群から選択される。
【誤訳訂正４】
【訂正対象書類名】明細書
【訂正対象項目名】００５７
【訂正方法】変更
【訂正の内容】
【００５７】
【図１】図１は、プロセス溶媒に水が添加されていない場合と比較して、１％、５％及び１０％の水をプロセス溶媒に添加した場合のＳｎ−ＢＥＡルイス酸触媒の改善された安定性を示している。触媒安定性は、乳酸メチル生成物の収率が著しく一定であることによって示される。
【図２】図２は、プロセス溶媒に水を添加しない場合（三角形）と比較して、プロセス溶媒に１％の水を添加した場合（四角形）の、Ｓｎ−ＢＥＡルイス酸触媒の改善された安定性を示している。触媒の安定性は、長期間のプロセスタイムオンストリーム（約５００時間）にわたって観察された乳酸メチル生成物の顕著に一定した収率によって説明される。
【図３】図３は、プロセス溶媒に水を添加しない場合（三角形）と比較して、プロセス溶媒に１％の水を添加した場合（四角形）の、Ｓｎ−ＢＥＡルイス酸触媒の改善された安定性を示している。改善された安定性は、触媒からのＳｎ浸出（Ｓｎの損失）の顕著な減少によって説明される。
【図４ａ】図４ａは、連続フロープロセスへの水の添加による２−ヒドロキシ−３−ブテン酸エステルの改善された収率を示しており、２−ヒドロキシ−３−ブテン酸メチルエステル（ＭＶＧ）の収率を示している。
【図４ｂ】図４ｂは、連続フロープロセスへの水の添加による２−ヒドロキシ−３−ブテン酸エステルの改善された収率を示しており、乳酸のエステル（乳酸メチル）及び２−ヒドロキシ−３−ブテン酸メチルエステル（ＭＶＧ）を組み合わせた収率を示している。
【図５】図５は、フロー中でＳｎ−ベータゼオライトを使用する場合の、フルクトースから得られるバイオモノマーの収率を示している。全収率［乳酸メチル（ＭＬ）、グリコールアルデヒドジメチルアセタール（ＧＬＡＤ）及びビニルグリコール酸メチル（ＭＶＧ）］は、フルクトースから７０％であり、そして４００時間にわたり安定であることを示している。ビニルグリコール酸メチル（ＭＶＧ）は、２−ヒドロキシ−３−ブテン酸メチルエステルと同等である。
【図６】図６は、連続フローモードでのＣ２−糖（グリコールアルデヒド）の転化率を示しており、水が存在する場合のＭＶＧの収率における改善を示している。より詳細には、連続フローモードにおける水の添加によるグリコールアルデヒドからのビニルグリコール酸メチル（ＭＶＧ）の改善された収率を示している。供給物の組成：メタノール中２０ｇ／ｌのグリコールアルデヒドを溶媒として使用する。ビニルグリコール酸メチル（ＭＶＧ）は、２−ヒドロキシ−３−ブテン酸メチルエステルと同等である。
【図７】図７は、連続フローモードでのＣ２−糖（グリコールアルデヒド）の転化率を示しており、水が存在する場合のＭＶＧの収率における改善を示している。より詳細には、フロー中にＳｎ−ベータゼオライトを使用する場合の、グリコールアルデヒドから得られるバイオモノマーの収率を示している。供給物の組成：溶媒としてメタノール中２０ｇ／ｌのグリコールアルデヒド、８．５重量％の水。全収率［グリコールアルデヒドジメチルアセタール（ＧＬＡＤ）、ビニルグリコール酸メチル（ＭＶＧ）及びメチル−４−メトキシ−２−ヒドロキシ−ブテノエート（ＭＭＨＢ）］は、反応の開始時にグリコールアルデヒドから６５％である。ビニルグリコール酸メチル（ＭＶＧ）は、２−ヒドロキシ−３−ブテン酸メチルエステルと同等である。
【図８】図８は、グリコールアルデヒドからの連続フロー反応において、水及びメタノールの存在下で触媒としてのＳｎ−ＢＥＡを用いた場合のα−ヒドロキシメチオニン類似体のメチルエステルの収率を示している。供給物の組成：溶媒としてメタノール中に９ｇ／ｌのグリコールアルデヒド、８．５重量％の水、１．２ｇ／ｌのメタンチオール。
【図９】図９は、反応における供給物としてのシロップの使用を例示している。これは、水が存在し、かつ、糖シロップの形態の糖を使用した場合のＭＶＧ収率における改善を示している。より詳細には、図は以下を意味する。フロー中でＳｎ−ベータゼオライトを使用する場合、スクロースシロップから得られるバイオモノマーの収率を示している。供給物の組成：５５ｇ／ｌスクロース。全収率［乳酸メチル（ＭＬ）、ビニルグリコール酸メチル（ＭＶＧ）］は、スクロースシロップから８０％であり、安定である。ビニルグリコール酸メチル（ＭＶＧ）は、２−ヒドロキシ−３−ブテン酸メチルエステルと同等である。
【手続補正書】
【提出日】平成30年11月16日(2018.11.16)
【手続補正１】
【補正対象書類名】特許請求の範囲
【補正対象項目名】請求項１４
【補正方法】変更
【補正の内容】
【請求項１４】
前記助剤が、以下の化合物：
２−メチルプロパン−１，３−ジオール、１，２−ヘキサンジオール、シス−１，２−シクロペンタンジオール、トランス−１，２−シクロペンタンジオール、１，３−プロパンジオール、１，５−ペンタンジオール、２−メチル−１，３−プロパンジオール、１，３−ヘキサンジオール、２，４−ヘキサンジオール、１，３−シクロブタンジオール、１，３−シクロペンタンジオール、１，３−シクロヘキサンジオール、シス−及びトランス−１，４−ブテンジオール、１，４−ブタンジオール、２，３−ジメチル−１，４−ブタンジオール、２，２−ジメチル−１，４−ブタンジオール、１，４−ペンタンジオール、２，３−ジメチル−１，５−ペンタンジオール、１，４−ヘキサンジオール、１，３，６−ヘキサントリオール、１，２，６−ヘキサントリオール、グリセリン、ジグリセリン、ジエチレングリコール、トリエチレングリコール、ジプロピレングリコール、ジエタノールアミン、Ｎ−メチルジエタノールアミン、Ｎ−プロピルジエタノールアミン、Ｎ−ブチルジエタノールアミン、トリエタノールアミン、Ｎ−エチルプロパノールアミン、Ｎ−プロピルエタノールアミン、Ｎ，Ｎ−ジプロピルエタノールアミン、Ｎ，Ｎ−ジブチルエタノールアミン、ジプロパノールアミン、Ｎ−メチルジプロパノールアミン、Ｎ−プロピルジプロパノールアミン、Ｎ−ブチルジプロパノールアミン、トリプロパノールアミン、ジイソプロパノールアミン、Ｎ−メチルジイソプロパノールアミン、トリイソプロパノールアミン、Ｎ−２−メチルアミノプロパノール、４−（２−ヒドロキシエチル）モルホリン、ペンタノールアミン、ヒドロキシエチルピペラジン、Ｎ−（２−ヒドロキシエチル）アニリン、Ｎ，Ｎ−ジ−（２−ヒドロキシエチル）アニリン、３−（シクロヘキシルアミノ）プロピルアミン、ジプロピレントリアミン、トリエチレンテトラミン、３−（２−アミノエチルアミノ）プロピルアミン、イソホロンジアミン
のうちの１つである、請求項１から７までのいずれか１項に記載の方法。
【手続補正２】
【補正対象書類名】特許請求の範囲
【補正対象項目名】請求項１５
【補正方法】変更
【補正の内容】
【請求項１５】
前記助剤が、以下の化合物：
グリセリン、１，３−プロパンジオール、１，４−ブタンジオール、シス−１，４−ブテンジオール、トリエチレングリコール、ジグリセリン、３−（シクロヘキシルアミノ）プロピルアミン、４−（２−ヒドロキシエチル）モルホリン、Ｎ−（２−ヒドロキシエチル）アニリン、トリエタノールアミン、Ｎ−メチルジエタノールアミン
のうちの１つである、請求項１から７までのいずれか１項に記載の方法。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
中心領域、周辺領域、および前記中心領域と前記周辺領域との間に配置された遷移領域を有する本体と、
第１のアスペクト比を有する前記中心領域の第１の複数の開孔と、
前記第１のアスペクト比よりも小さい第２のアスペクト比を有する前記周辺領域の第２の複数の開孔と、
前記遷移領域の第３の複数の開孔であって、前記遷移領域が前記中心領域を取り囲む円錐形を形成するように切削されている、第３の複数の開孔と、
を備える、基板処理チャンバで使用するためのコリメータ。
【請求項２】
前記第１の複数の開孔、前記第２の複数の開孔、および前記第３の複数の開孔がテクスチャ加工されている、請求項１に記載のコリメータ。
【請求項３】
前記第３の複数の開孔が所定の角度で切削されている、請求項１に記載のコリメータ。
【請求項４】
前記所定の角度が１５°〜４５°の間である、請求項３に記載のコリメータ。
【請求項５】
前記第１の複数の開孔が約６１個の開孔を含む、請求項１に記載のコリメータ。
【請求項６】
前記第１の複数の開孔、前記第２の複数の開孔、および前記第３の複数の開孔の上方部分がチャンファーを含む、請求項１から５までのいずれか１項に記載のコリメータ。
【請求項７】
前記チャンファーが約２．５°〜約１５°である、請求項６に記載のコリメータ。
【請求項８】
前記チャンファーが約０．１５インチ〜約１インチの長さを有する、請求項６に記載のコリメータ。
【請求項９】
前記第１の複数の開孔のアスペクト比が約２．５：１〜約３．３：１である、請求項１から５までのいずれか１項に記載のコリメータ。
【請求項１０】
前記第１の複数の開孔、前記第２の複数の開孔、および前記第３の複数の開孔のそれぞれが六角形である、請求項１から５までのいずれか１項に記載のコリメータ。
【請求項１１】
前記第１の複数の開孔のそれぞれに外接する円が約１．５インチの直径を有する、請求項１から５までのいずれか１項に記載のコリメータ。
【請求項１２】
前記第１の複数の開孔、前記第２の複数の開孔、および前記第３の複数の開孔がテクスチャ加工され、前記第３の複数の開孔が所定の角度で面取りされている、請求項１に記載のコリメータ。
【請求項１３】
前記チャンファーが、約２．５°〜約１５°の間であり、約０．１５インチ〜約１インチの長さを有する、請求項１２に記載のコリメータ。
【請求項１４】
前記第１の複数の開孔のアスペクト比が約２．５：１〜約３．３：１である、請求項１２または１３に記載のコリメータ。
【請求項１５】
内部容積を画成するチャンバ本体と、
前記内部容積の上方部分に配置されたスパッタリングターゲットと、
前記スパッタリングターゲットの下に配置された基板支持体と、
前記スパッタリングターゲットと前記基板支持体との間の前記内部容積に配置されたコリメータであって、請求項１から１４までのいずれか１項に記載されるような、コリメータと、
を備える、基板処理チャンバ。
【手続補正２】
【補正対象書類名】明細書
【補正対象項目名】０００５
【補正方法】変更
【補正の内容】
【０００５】
一部の実施形態では、基板処理チャンバで使用するためのコリメータは、中心領域、周辺領域、および中心領域と周辺領域との間に配置された遷移領域を有する本体と、第１のアスペクト比を有する中心領域の第１の複数の開孔と、第１のアスペクト比よりも小さい第２のアスペクト比を有する周辺領域の第２の複数の開孔と、遷移領域の第３の複数の開孔であって、遷移領域が中心領域を取り囲む円錐形を形成するように切削されている、第３の複数の開孔と、を含み、第１の複数の開孔、第２の複数の開孔、および第３の複数の開孔がテクスチャ加工され、第１の複数の開孔、第２の複数の開孔、および第３の複数の開孔の上方部分がチャンファーを含む。
一部の実施形態では、プロセスチャンバは、内部容積を画成するチャンバ本体と、内部容積の上方部分に配置されたスパッタリングターゲットと、スパッタリングターゲットの下に配置された基板支持体と、スパッタリングターゲットと基板支持体との間の内部容積に配置されたコリメータとを含み、コリメータが、中心領域、周辺領域、および中心領域と周辺領域との間に配置された遷移領域を有する本体、第１のアスペクト比を有する中心領域の第１の複数の開孔、第１のアスペクト比よりも小さい第２のアスペクト比を有する周辺領域の第２の複数の開孔、ならびに遷移領域の第３の複数の開孔であって、遷移領域が中心領域を取り囲む円錐形を形成するように切削されている、第３の複数の開孔を含む。
【誤訳訂正書】
【提出日】令和1年9月25日(2019.9.25)
【誤訳訂正１】
【訂正対象書類名】明細書
【訂正対象項目名】０００７
【訂正方法】変更
【訂正の内容】
【０００７】
その軸受けメタル層を鋼製の支持層上に固定するためには、中間層を軸受けメタル層上に接合し、そして、軸受けメタルと中間層とからなる複合材料を、別途、該支持層上に接合しなければならない。引き続いて、該層複合材料を熱処理に供さなければならず、その際に、最終的な焼鈍により、所望の組織構造が設定され、それにより、所望の材料特性が設定される。
【誤訳訂正２】
【訂正対象書類名】明細書
【訂正対象項目名】００１４
【訂正方法】変更
【訂正の内容】
【００１４】
該軸受けメタルは、いわゆる、ベルトキャスターで連続的に、ストリップ形状に鋳造され、それからフィルム形態で存在している中間層材料と接合される。その複合体は引き続いて圧延され、最後に、冷間圧延接合工程で、中間層の側が鋼の上に配置される。冷間圧延接合とは、＜３００℃の接合温度における圧延接合法である。この製造方法によって、高強度で、摩耗しにくく、かつ、疲労耐性の軸受けメタル、及びそれに適合した中間層を備え、例えば、高負荷時における、内燃機関、特に、ターボチャージャー付きディーゼルエンジンのコンロッドベアリング又はクランクシャフトの主軸の軸受けシェルとして、非常に良好に適した滑り軸受け複合材料が得られる。
【誤訳訂正３】
【訂正対象書類名】特許請求の範囲
【訂正対象項目名】請求項３
【訂正方法】変更
【訂正の内容】
【請求項３】
前記軸受けメタル層（１４）と接合されている前記中間層（１２）が、圧延接合法において＜３００℃の接合温度で前記支持層（１０）上に配置されていることを特徴とする、請求項１又は２に記載の滑り軸受け複合材料。
【誤訳訂正４】
【訂正対象書類名】特許請求の範囲
【訂正対象項目名】請求項７
【訂正方法】変更
【訂正の内容】
【請求項７】
前記軸受けメタル層（１４）が、２００μｍ〜４００μｍの厚さｄを有することを特徴とする、請求項１〜６のいずれか一つに記載の滑り軸受け複合材料。
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
それを必要とする被験体におけるがんを治療するための医薬であって、ＰＤ−１軸アンタゴニストとＨＰＫ１アンタゴニストの組み合わせの有効量を含み、該ＰＤ−１軸アンタゴニストが、抗ＰＤ−１抗体、抗ＰＤ−Ｌ１抗体又は抗ＰＤ−Ｌ２抗体であり、ＨＰＫ１アンタゴニストが特異的ＨＰＫ１アンタゴニストである、医薬。
【請求項２】
がんが、結腸直腸がん、メラノーマ、非小細胞肺がん、卵巣がん、乳がん、膵臓がん、血液悪性腫瘍、及び腎細胞癌からなる群から選択される少なくとも１つのがんを含む、請求項１に記載の医薬。
【請求項３】
前記がんが、癌腫、リンパ腫、芽細胞腫、髄芽腫、網膜芽細胞腫、肉腫、脂肪肉腫、滑膜細胞肉腫、神経内分泌腫瘍、カルチノイド腫瘍、ガストリノーマ、膵島細胞癌、中皮腫、神経鞘腫、聴神経腫、髄膜腫、腺癌、黒色腫、白血病又はリンパ性悪性腫瘍、扁平上皮細胞がん、上皮性扁平上皮細胞がん、肺がん、小細胞肺がん（ＳＣＬＣ）、非小細胞肺がん（ＮＳＣＬＣ）、肺の腺癌、肺の扁平上皮癌、腹膜のがん、肝細胞がん、胃（ｇａｓｔｒｉｃ又はｓｔｏｍａｃｈ）がん、消化管がん、膵がん、神経膠芽腫、子宮頸がん、卵巣がん、肝がん、膀胱がん、ヘパトーマ、乳がん、転移性乳がん、結腸がん、直腸がん、結腸直腸がん、子宮内膜又は子宮癌腫、唾液腺癌腫、腎臓（ｋｉｄｎｅｙ又はｒｅｎａｌ）がん、前立腺がん、外陰部がん、甲状腺がん、肝癌、肛門癌、陰茎癌、メルケル細胞がん、菌状息肉腫、精巣がん、食道がん、胆道の腫瘍、頭頸部がん及び血液悪性腫瘍からなる群から選択される、請求項１に記載の医薬。
【請求項４】
がんがＴ細胞浸潤の上昇したレベルを有する、請求項１に記載の医薬。
【請求項５】
抗ＰＤ−１抗体がモノクローナル抗体である、請求項１から４のいずれか一項に記載の医薬。
【請求項６】
抗ＰＤ−１抗体が、Ｆａｂ、Ｆａｂ’−ＳＨ、Ｆｖ、ｓｃＦｖ、及び（Ｆａｂ’）２断片からなる群から選択される抗体断片である、請求項１から４のいずれか一項に記載の医薬。
【請求項７】
ＰＤ−１アンタゴニストがＭＤＸ−１１０６、Ｍｅｒｃｋ  ３４７５、ＣＴ−０１１、及びＡＭＰ−２２４からなる群から選択される、請求項１から４のいずれか一項に記載の医薬。
【請求項８】
抗ＰＤ−Ｌ１抗体がモノクローナル抗体である、請求項１から４のいずれか一項に記載の医薬。
【請求項９】
抗ＰＤ−Ｌ１抗体が、Ｆａｂ、Ｆａｂ’−ＳＨ、Ｆｖ、ｓｃＦｖ、及び（Ｆａｂ’）２断片からなる群から選択される抗体断片である、請求項１から４のいずれか一項に記載の医薬。
【請求項１０】
ＰＤ−Ｌ１アンタゴニストが、ＹＷ２４３．５５．Ｓ７０、ＭＰＤＬ３２８０Ａ、ＭＥＤＩ４７３６、及びＭＤＸ−１１０５からなる群から選択される、請求項１から４のいずれか一項に記載の医薬。
【請求項１１】
抗ＰＤ−Ｌ２抗体が、モノクローナル抗体又はイムノアドヘシンである、請求項１から４のいずれか一項に記載の医薬。
【請求項１２】
ＰＤ−１軸アンタゴニスト又はＨＰＫ１アンタゴニストが、静脈内に、筋肉内に、皮下に、局所的に、経口的に、経皮的に、腹腔内に、胸腔内に、移植によって、吸入によって、髄腔内に、脳室内に、腫瘍内又は鼻腔内に投与される、請求項１から１１のいずれか一項に記載の医薬。
【請求項１３】
ＨＰＫ１アンタゴニストがＰＤ−１軸アンタゴニストの前に投与される、請求項１２に記載の医薬。
【請求項１４】
ＨＰＫ１アンタゴニストがＰＤ−１軸アンタゴニストと同時に投与される、請求項１２に記載の医薬。
【請求項１５】
ＨＰＫ１アンタゴニストがＰＤ−１軸アンタゴニストの後に投与される、請求項１２に記載の医薬。
【手続補正書】
【提出日】平成30年11月27日(2018.11.27)
【手続補正１】
【補正対象書類名】明細書
【補正対象項目名】０００３
【補正方法】変更
【補正の内容】
【０００３】
ＷＯ  ２０１０／０７８４０８Ａ１には、Ｒａｆキナーゼ阻害薬の調製及び医薬用途について記載されており、及び、ＷＯ  ２０１３／１５９０６４Ａ１には、抗−ＨＩＶ薬の合成、及び、ＨＩＶ感染を治療するためのそれらの使用について記載されており、ここで、該化合物は、とりわけ、Ｎ−置換２Ｈ−ピラゾロ［３，４−ｂ］ピリジン−１−イルフラグメントを含んでいる。ＷＯ  ２０１０／０５６９９９には、Ｎ−置換２Ｈ−ピラゾロ［３，４−ｂ］ピリジン−１−イルフラグメントを含んでいる殺寄生虫薬の調製について記載されている。
【手続補正２】
【補正対象書類名】明細書
【補正対象項目名】０００５
【補正方法】変更
【補正の内容】
【０００５】
【特許文献１】国際特許出願公開第２０１５／０３８５０３Ａ１号
【特許文献２】国際特許出願公開第２０１０／０７８４０８Ａ１号
【特許文献３】国際特許出願公開第２０１３／１５９０６４Ａ１号
【特許文献４】国際特許出願公開第２０１０／０５６９９９号
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
１ミクロン〜５０ミクロンの平均径を有し、ＰＬＧＡとＰＬＧＡ−ＰＥＧを含むポリマーブレンド中に封入された５重量％超のスニチニブ又はその薬学的に許容可能な塩を含み、少なくとも２週間に亘って前記スニチニブを放出する、ポリマーミクロ粒子。
【請求項２】
前記ＰＬＧＡと前記ＰＬＧＡ−ＰＥＧが、約９９重量％のＰＬＧＡと１重量％のＰＬＧＡ−ＰＥＧとの混合物中に存在する、請求項１に記載のポリマーミクロ粒子。
【請求項３】
さらにＰＬＡを含む、請求項１又は２に記載のポリマーミクロ粒子。
【請求項４】
前記薬学的に許容可能な塩がリンゴ酸スニチニブである、請求項１〜３のいずれか一項に記載のポリマーミクロ粒子。
【請求項５】
１ミクロン〜３０ミクロンの平均径を有する、請求項１〜４のいずれか一項に記載のポリマーミクロ粒子。
【請求項６】
請求項１〜５のいずれか一項に記載のポリマーミクロ粒子を、薬学的に許容可能な担体中に含む、医薬組成物。
【請求項７】
患者の眼疾患を治療するための、請求項６に記載の医薬組成物。
【請求項８】
前記患者がヒトである、請求項７に記載の医薬組成物。
【請求項９】
前記眼疾患が、緑内障、加齢黄斑変性、角膜血管新生及び脈絡膜血管化からなる群から選択される少なくとも１種である、請求項７又は８に記載の医薬組成物。
【請求項１０】
前記加齢黄斑変性が滲出型加齢黄斑変性である、請求項９に記載の医薬組成物。
【請求項１１】
硝子体内注射により投与される、請求項７〜１０のいずれか一項に記載の医薬組成物。
【請求項１２】
結膜下注射により投与される、請求項７〜１０のいずれか一項に記載の医薬組成物。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
対象における少なくとも１つの炎症性病態を緩和または予防する薬剤を製造するためにＮＫＴ−２アクチベーターを用いる方法であって、前記薬剤は、前記対象のＩＩ型ＮＫＴ細胞を活性化させるために十分な量のＮＫＴ−２アクチベーターを含む。
【請求項２】
前記炎症性病態が、脂肪肝疾患、アルコール誘発性肝炎、非アルコール性脂肪性肝炎、自己免疫性肝炎、肝硬変、非アルコール性脂肪肝疾患、線維症、原発性硬化性胆管炎、原発性胆汁性硬化症、劇症肝硬変、特発性肝炎、ウイルス誘発性肝炎（Ａ型、Ｂ型、Ｃ型およびその他）、肝胆道癌と関連する炎症性肝炎、多発性硬化症、１型糖尿病、虚血再灌流傷害、実質臓器移植、全身性エリテマトーデス、関節リウマチ、筋萎縮性側索硬化症、および炎症性腸疾患（クローン病および大腸炎）からなる群から選択される、請求項１に記載の方法。
【請求項３】
前記薬剤が、さらに前記対象に対するＩ型ＮＫＴ細胞の活性化を阻害するために十分な量のＲＡＲアゴニストを含むことを特徴とする請求項１または２に記載の方法。
【請求項４】
前記ＮＫＴ−２アクチベーターが以下の化学構造：
【化１】
2017537984.tif 000001
（式中、Ｒは、Ｃ１〜Ｃ３０アルキル、Ｃ１〜Ｃ３０置換アルキル、Ｃ１〜Ｃ３０アルケニル、Ｃ１〜Ｃ３０置換アルケニルおよびＣ１〜Ｃ３０アルキンルからなる群から選択される）を有する、請求項１〜３のいずれか一項に記載の方法。
【請求項５】
前記薬剤が、経口投与用に構成される、請求項１〜４のいずれか一項に記載の方法。
【請求項６】
前記ＮＫＴ−２アクチベーターがミルテホシン、またはミルテホシンアナログを含む、請求項１〜５のいずれか一項に記載の方法。
【請求項７】
前記ＮＫＴ−２アクチベーターが、リゾホスファチジルコリン（ＬＰＣ）、ＬＰＣのアナログ、リゾ血小板活性化因子（ＬＰＡＦ）、リゾスフィンゴミエリン（ＬＳＭ）、またはＬＳＭのアナログを含むリン脂質を含む、請求項１〜５のいずれか一項に記載の方法。
【請求項８】
前記ＬＰＣがＬＰＣ（Ｃ１８：０）、ＬＰＣ（Ｃ１６：０）、ＬＰＣ（Ｃ１８：１（９Ｚ））、ＬＰＣ（Ｃ１８：１（１オレイル））、またはＬｉｇｎＡ（ＬＰＣ）（Ｃ２４：０）の１つを含む、請求項７に記載の方法。
【請求項９】
前記ミルテホシンアナログが表２．１または表２．２からの化合物を含む、請求項６に記載の方法。
【請求項１０】
前記ＮＫＴ−２アクチベーターがミルテホシンを含む、請求項１〜９のいずれか一項に記載の方法。
【請求項１１】
対象におけるＩ型ＮＫＴ細胞媒介組織損傷を阻害する薬剤を製造するためにＮＫＴ−２アクチベーターを用いる方法であって、前記薬剤は、前記対象に対し、有効量のＮＫＴ−２アクチベーターを含む。
【請求項１２】
前記対象が、脂肪肝疾患、アルコール誘発性肝炎、非アルコール性脂肪性肝炎、自己免疫性肝炎、肝硬変、非アルコール性脂肪肝疾患、線維症、原発性硬化性胆管炎、原発性胆汁性硬化症、劇症肝硬変、特発性肝炎、ウイルス誘発性肝炎（Ａ型、Ｂ型、Ｃ型およびその他）、肝胆道癌と関連する炎症性肝炎、多発性硬化症、１型糖尿病、虚血再灌流傷害、実質臓器移植、全身性エリテマトーデス、関節リウマチ、筋萎縮性側索硬化症、および炎症性腸疾患（クローン病および大腸炎）からなる群から選択される炎症性病態を有する、請求項１１に記載の方法。
【請求項１３】
前記ＮＫＴ−２アクチベーターがミルテホシン、ミルテホシンアナログ、またはリン脂質の少なくとも１つを含む、請求項１１または１２に記載の方法。
【請求項１４】
前記リン脂質がリゾホスファチジルコリン（ＬＰＣ）、ＬＰＣのアナログ、リゾ血小板活性化因子（ＬＰＡＦ）、リゾスフィンゴミエリン（ＬＳＭ）、またはＬＳＭのアナログを含む、請求項１３に記載の方法。
【請求項１５】
前記ＮＫＴ−２アクチベーターがミルテホシンまたはミルテホシンアナログの少なくとも１つを含む、請求項１１または１２に記載の方法。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
必要とする個体の血栓形成またはそれに付随する合併症を予防する医薬を製造するための組成物の使用であって、前記個体にＳｆ２アンタゴニストと薬学的に許容される担体とを含む前記組成物を血栓予防量投与する、使用。
【請求項２】
前記Ｓｆ２アンタゴニストが、Ｓｆ２欠乏を引き起こすＳｆ２結合分子である、請求項１に記載の使用。
【請求項３】
前記Ｓｆ２アンタゴニストが抗体またはその機能的フラグメントである、請求項２に記載の使用。
【請求項４】
前記Ｓｆ２抗体またはその機能的フラグメントが、モノクローナル抗体、組換え抗体または天然抗体、あるいはキメラ抗体、ヒト抗体またはヒト化抗体である、請求項３に記載の使用。
【請求項５】
前記抗体が、ＭＡｂ４９もしくはＭＡｂ７７またはその機能的フラグメント、あるいは４ｈ９、２７ｃ９もしくはＴＳ２３またはその機能的フラグメントである、請求項３に記載の使用。
【請求項６】
血栓形成またはそれに付随する合併症が、外科手術、臥床、遺伝的異常、癌、外傷をはじめとする危険因子によって引き起こされるものである、請求項１から５のいずれか一項に記載の使用。
【請求項７】
前記組成物と、抗凝固剤、プラスミノーゲン活性化因子、抗血小板剤および線維素溶解促進剤からなる群より選択される有効量の薬学的に活性な薬剤とを共投与することをさらに含む、請求項１から６のいずれか一項に記載の使用。
【請求項８】
リスクのある患者の血栓形成またはそれに付随する合併症を予防する組成物であって、血栓予防量のＳｆ２アンタゴニストと、薬学的に許容される担体とを含む、組成物。
【請求項９】
前記Ｓｆ２アンタゴニストが、Ｓｆ２欠乏を引き起こすＳｆ２結合分子である、請求項８に記載の組成物。
【請求項１０】
前記Ｓｆ２アンタゴニストが抗体またはその機能的フラグメントである、請求項９に記載の組成物。
【請求項１１】
前記Ｓｆ２抗体またはその機能的フラグメントが、モノクローナル抗体、組換え抗体または天然抗体、あるいはキメラ抗体、ヒト抗体またはヒト化抗体である、請求項１０に記載の組成物。
【請求項１２】
前記抗体が、ＭＡｂ４９もしくはＭＡｂ７７またはその機能的フラグメント、あるいは４ｈ９、２７ｃ９もしくはＴＳ２３またはその機能的フラグメントである、請求項１０に記載の組成物。
【請求項１３】
血栓形成またはそれに付随する合併症が、外科手術、臥床、遺伝的異常、癌、外傷をはじめとする危険因子によって引き起こされるものである、請求項８から１２のいずれか一項に記載の組成物。
【請求項１４】
抗凝固剤、プラスミノーゲン活性化因子、抗血小板剤および線維素溶解促進剤からなる群より選択される有効量の薬学的に活性な薬剤をさらに含む、請求項８から１３のいずれか一項に記載の組成物。
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
約２０〜４０重量％の２−（ｔｅｒｔ−ブチルアミノ）−４−（（１Ｒ，３Ｒ，４Ｒ）−３−ヒドロキシ−４−メチルシクロヘキシルアミノ）−ピリミジン−５−カルボキサミドまたはその薬学的に許容される塩、立体異性体、溶媒和物、水和物、包接化合物、同位体置換体、代謝産物もしくは固体形態、約３０〜５０重量％の微結晶セルロース、約２０〜４０重量％のマンニトール、約１〜１０重量％のカルボキシメチルセルロース、約１〜１０重量％のヒドロキシプロピルメチルセルロース及び約０．１〜２重量％のステアリン酸マグネシウムを含む、医薬組成物。
【請求項２】
約２８．５７重量％の２−（ｔｅｒｔ−ブチルアミノ）−４−（（１Ｒ，３Ｒ，４Ｒ）−３−ヒドロキシ−４−メチルシクロヘキシルアミノ）−ピリミジン−５−カルボキサミドまたはその薬学的に許容される塩、立体異性体、溶媒和物、水和物、包接化合物、同位体置換体、代謝産物もしくは固体形態、約３７．４３重量％の微結晶セルロース、約２６重量％のマンニトール、約４重量％のカルボキシメチルセルロース、約３重量％のヒドロキシプロピルメチルセルロース及び約１重量％のステアリン酸マグネシウムを含む、医薬組成物。
【請求項３】
約２０〜４０重量％の２−（ｔｅｒｔ−ブチルアミノ）−４−（（１Ｒ，３Ｒ，４Ｒ）−３−ヒドロキシ−４−メチルシクロヘキシルアミノ）−ピリミジン−５−カルボキサミドまたはその薬学的に許容される塩、立体異性体、溶媒和物、水和物、包接化合物、同位体置換体、代謝産物もしくは固体形態、約２０〜４０重量％の微結晶セルロース、約２０〜４０重量％のマンニトール、約１〜２０重量％のカルボキシメチルセルロース、約１〜１０重量％のヒドロキシプロピルメチルセルロース及び約０．１〜２重量％のステアリン酸マグネシウムを含む、医薬組成物。
【請求項４】
約２８．５７重量％の２−（ｔｅｒｔ−ブチルアミノ）−４−（（１Ｒ，３Ｒ，４Ｒ）−３−ヒドロキシ−４−メチルシクロヘキシルアミノ）−ピリミジン−５−カルボキサミドまたはその薬学的に許容される塩、立体異性体、溶媒和物、水和物、包接化合物、同位体置換体、代謝産物もしくは固体形態、約３３．４３重量％の微結晶セルロース、約２６重量％のマンニトール、約８重量％のカルボキシメチルセルロース、約３重量％のヒドロキシプロピルメチルセルロース及び約１重量％のステアリン酸マグネシウムを含む、医薬組成物。
【請求項５】
約２８．５７重量％の２−（ｔｅｒｔ−ブチルアミノ）−４−（（１Ｒ，３Ｒ，４Ｒ）−３−ヒドロキシ−４−メチルシクロヘキシルアミノ）−ピリミジン−５−カルボキサミドまたはその薬学的に許容される塩、立体異性体、溶媒和物、水和物、包接化合物、同位体置換体、代謝産物もしくは固体形態、約３１．９３重量％の微結晶セルロース、約２６重量％のマンニトール、約８重量％のカルボキシメチルセルロース、約４．５重量％のヒドロキシプロピルメチルセルロース及び約１重量％のステアリン酸マグネシウムを含む、医薬組成物。
【請求項６】
約２０〜４０重量％の２−（ｔｅｒｔ−ブチルアミノ）−４−（（１Ｒ，３Ｒ，４Ｒ）−３−ヒドロキシ−４−メチルシクロヘキシルアミノ）−ピリミジン−５−カルボキサミドまたはその薬学的に許容される塩、立体異性体、溶媒和物、水和物、包接化合物、同位体置換体、代謝産物もしくは固体形態、約２０〜５０重量％の微結晶セルロース、約２０〜４０重量％のマンニトール、約１〜１０重量％のカルボキシメチルセルロース、約１〜１０重量％のヒドロキシプロピルメチルセルロース及び約０．１〜２重量％のステアリン酸マグネシウムを含む、医薬組成物。
【請求項７】
約２８．５７重量％の２−（ｔｅｒｔ−ブチルアミノ）−４−（（１Ｒ，３Ｒ，４Ｒ）−３−ヒドロキシ−４−メチルシクロヘキシルアミノ）−ピリミジン−５−カルボキサミドまたはその薬学的に許容される塩、立体異性体、溶媒和物、水和物、包接化合物、同位体置換体、代謝産物もしくは固体形態、約３５．９３重量％の微結晶セルロース、約２６重量％のマンニトール、約４重量％のカルボキシメチルセルロース、約４．５重量％のヒドロキシプロピルメチルセルロース及び約１重量％のステアリン酸マグネシウムを含む、医薬組成物。
【請求項８】
間質性肺線維症、全身性強皮症、強皮症、慢性移植腎症、抗体関連型拒絶反応または狼瘡を治療または予防するための、請求項１〜７のいずれか一項に記載の医薬組成物。
【請求項９】
ＪＮＫ経路の阻害により治療可能または予防可能な疾患または障害を治療または予防するための、請求項１〜７のいずれか一項に記載の医薬組成物。
【請求項１０】
前記疾患または障害が、間質性肺線維症、全身性強皮症、強皮症、慢性移植腎症、抗体関連型拒絶反応または狼瘡からなる群から選択される、請求項９に記載の医薬組成物。
【請求項１１】
前記疾患または障害が、肝線維化障害、糖尿病または肝線維化障害につながるメタボリック症候群である、請求項９に記載の医薬組成物。
【請求項１２】
塩酸塩、硫酸塩、リン酸塩、Ｌ−酒石酸塩、Ｌ−リンゴ酸塩、Ｌ−乳酸塩、コハク酸塩、ｐ−トルエン硫酸塩、メタン硫酸塩、ベンゼン硫酸塩、フマル酸塩またはクエン酸塩である、２−（ｔｅｒｔ−ブチルアミノ）−４−（（１Ｒ，３Ｒ，４Ｒ）−３−ヒドロキシ−４−メチルシクロヘキシルアミノ）−ピリミジン−５−カルボキサミドの塩。
【請求項１３】
請求項１２に記載の塩を含む、ＪＮＫ経路の阻害により治療可能または予防可能な疾患または障害を治療または予防するための、医薬組成物。
【請求項１４】
前記疾患または障害が、間質性肺線維症、全身性強皮症、強皮症、慢性移植腎症、抗体関連型拒絶反応または狼瘡からなる群から選択される、請求項１３に記載の医薬組成物。
【請求項１５】
前記疾患または障害が、肝線維化障害、糖尿病または肝線維化障害につながるメタボリック症候群である、請求項１３に記載の医薬組成物。
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
ケロイド瘢痕またはケロイド瘢痕に伴う医学的状態の処置または防止において使用するためのフィビュリン−５。
【請求項２】
ケロイド瘢痕由来の線維芽細胞様細胞の増殖および／またはアドヒーレンスを阻害する方法であって、前記線維芽細胞様細胞を有効量のフィビュリン−５とエクスビボまたはインビトロで接触させ、それにより、前記ケロイド瘢痕由来の線維芽細胞様細胞の増殖および／またはアドヒーレンスを阻害することを含む方法。
【請求項３】
前記線維芽細胞様細胞が組織に含まれる、請求項２に記載の方法。
【請求項４】
前記線維芽細胞様細胞が初代細胞である、請求項２に記載の方法。
【請求項５】
前記線維芽細胞様細胞が細胞株である、請求項２に記載の方法。
【請求項６】
有効量のフィビュリン−５と、美容的に許容されるキャリアとを含む美容用組成物。
【請求項７】
前記ケロイド瘢痕が外傷によって引き起こされる、請求項１に記載のフィビュリン−５。
【請求項８】
前記ケロイド瘢痕が外科的手技によって引き起こされる、請求項１〜７のいずれかに記載のフィビュリン−５又は方法。
【請求項９】
前記医学的状態が、疼痛、炎症および血管新生からなる群から選択される、請求項１に記載のフィビュリン−５。
【請求項１０】
前記フィビュリン−５はインテグリンベータ結合ドメインを含む、請求項１〜９のいずれかに記載のフィビュリン−５、方法又は組成物。
【請求項１１】
前記フィビュリン−５は全長型フィビュリン−５である、請求項１０に記載のフィビュリン−５、方法又は組成物。
【請求項１２】
前記フィビュリン−５はヒトフィビュリン−５である、請求項１〜１１のいずれかに記載のフィビュリン−５、方法又は組成物。
【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
座瘡を治療するための局所投与用の医薬組成物であって、化合物３，５−ジヒドロキシ−４−イソプロピル−トランス−スチルベンまたはその薬学上許容可能な塩を含んでなる、医薬組成物。
【請求項２】
座瘡が体幹座瘡である、請求項１に記載の医薬組成物。
【請求項３】
座瘡病巣が顔面および頭皮を侵している、請求項１に記載の医薬組成物。
【請求項４】
患部に１日１回投与するための、請求項１〜３のいずれか一項に記載の医薬組成物。
【請求項５】
患部に１日２回投与するための、請求項１〜３のいずれか一項に記載の医薬組成物。
【請求項６】
前記化合物が３，５−ジヒドロキシ−４−イソプロピル−トランス−スチルベンである、請求項１〜５のいずれか一項に記載の医薬組成物。
【請求項７】
前記化合物が０．５％〜５％ｗ／ｗの範囲の濃度で局所的に適用される、請求項１〜６のいずれか一項に記載の医薬組成物。
【請求項８】
前記化合物が０．５％〜２％ｗ／ｗの範囲の濃度で局所的に適用される、請求項７に記載の医薬組成物。
【請求項９】
前記化合物が０．５％ｗ／ｗ、１％ｗ／ｗ、または２％ｗ／ｗで局所的に適用される、請求項８に記載の医薬組成物。
【請求項１０】
座瘡の治療のための有効量の治療薬と併用投与するための、請求項１〜９のいずれか一項に記載の医薬組成物。
【請求項１１】
第２の治療薬の併用投与が、３，５−ジヒドロキシ−４−イソプロピル−トランス−スチルベンまたはその薬学上許容可能な塩と、同時点で一緒に、逐次または同時期である、請求項１０に記載の医薬組成物。
【請求項１２】
３，５−ジヒドロキシ−４−イソプロピル−トランス−スチルベンまたはその薬学上許容可能な塩が、第２の治療薬と交互の時間に、例えば、一方が朝に、他方が晩に、投与される、請求項１１に記載の医薬組成物。
【請求項１３】
ＩＬ−１７Ａの生産を抑制するための局所投与用の医薬組成物であって、化合物３，５−ジヒドロキシ−４−イソプロピル−トランス−スチルベンまたはその薬学上許容可能な塩を含んでなる、医薬組成物。
【請求項１４】
誘導アポトーシスを介してケラチノサイトの過剰増殖を抑制するための局所投与用の医薬組成物であって、化合物３，５−ジヒドロキシ−４−イソプロピル−トランス−スチルベンまたはその薬学上許容可能な塩を含んでなる、医薬組成物。
【請求項１５】
ケラチノサイトの細胞死を促進するための局所投与用の医薬組成物であって、化合物３，５−ジヒドロキシ−４−イソプロピル−トランス−スチルベンまたはその薬学上許容可能な塩を含んでなる、医薬組成物。
【請求項１６】
薬学上許容可能な担体または希釈剤をさらに含んでなる、請求項１〜１５のいずれか一項に記載の医薬組成物。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
エアロゾル発生システム用のカートリッジであって、前記カートリッジが、
−液体貯蔵部分であって、前記液体貯蔵部分が、
−エアロゾル形成基体を分配するための開口部を画定するノズルを有する剛直な支持部分と、
−前記剛直な支持部分に取り付けられた折り畳み可能な部分と、
−前記支持部のノズル内に提供された芯とを含むものを備え、
前記芯が前記開口部の全断面にわたり延びる、カートリッジ。
【請求項２】
前記芯が任意の多孔性材料、例えば繊維質材料、好ましくはアラミド繊維、ガラス繊維、Ｋｅｖｌａｒ繊維、または金属繊維から作製される、請求項１に記載のカートリッジ。
【請求項３】
前記剛直な支持部分が、固体ポリマー材料、好ましくはデュロプラスチック材料、熱硬化性材料、耐熱性材料、またはセラミック材料から作製される、請求項１〜２のいずれか１項に記載のカートリッジ。
【請求項４】
前記剛直な支持部分が、エアロゾル発生システムのエアロゾル形成チャンバー内に前記カートリッジを取り付けるための取付部分を含む、請求項１〜３のいずれか１項に記載のカートリッジ。
【請求項５】
前記ノズルの前記開口部を閉じて、前記エアロゾル発生システム外での前記カートリッジに保管中の前記エアロゾル発生液体の蒸発を防止する再封可能キャップを備える、請求項１〜４のいずれか１項に記載のカートリッジ。
【請求項６】
前記折り畳み可能な部分が箔材料、好ましくは、薄層形成箔材料で形成され、さらに好ましくは密封シールのために少なくとも一つのアルミニウム層を含む、請求項１〜５のいずれか１項に記載のカートリッジ。
【請求項７】
前記折り畳み可能な部分が、前記折り畳み可能な部分を囲む剛直なハウジングによって保護される、請求項１〜６のいずれか１項に記載のカートリッジ。
【請求項８】
ヒーター要素をさらに備え、前記ヒーター要素が好ましくは前記剛直な支持部分に提供される、請求項１〜７のいずれか１項に記載のカートリッジ。
【請求項９】
前記ヒーター要素がコイルワイヤーであり、前記コイルワイヤーが前記ノズルから延びる前記芯の一部分の周りに巻かれる、請求項８に記載のカートリッジ。
【請求項１０】
前記剛直な支持部分が前記発熱体と接触するための２つの電極を備え、前記電極が好ましくは前記ノズルの反対側に提供されている、請求項８または９のいずれか１項に記載のカートリッジ。
【請求項１１】
請求項１〜１０のいずれか１項に記載のカートリッジを備える、エアロゾル発生システム。
【請求項１２】
前記カートリッジの前記取付手段との取付け時の連携のための受入手段をさらに備えた、請求項１１に記載のエアロゾル発生システム。
【請求項１３】
電源と制御回路をさらに備え、前記カートリッジが前記エアロゾル発生システム内に配置される時、前記電源がヒーター要素と電気的に接触するように、前記受入手段が前記カートリッジの前記剛直な支持部分に提供された前記電子接点と接触するための電子接点を備える、請求項１１または１２のいずれか１項に記載のエアロゾル発生システム。
【請求項１４】
カートリッジを形成するための方法であって、
−開口部を画定するノズルを備えた剛直な支持部分を提供する工程と、
−折り畳み可能な部分を前記剛直な支持部分に取り付けて液体貯蔵部分を形成する工程と、
−前記剛直な支持部分の前記ノズル内に芯を提供する工程とを含み、
前記芯が前記開口部の全断面にわたり延びる、方法。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
イメージングプローブに適合すると共に結合されるように構成されるアタッチメントピースと、
光学形状検出装置が、前記アタッチメントピース内又は上に形成され、経路内において縦方向のねじれを可能にするために自由にフロートすることができるように、前記光学形状検出装置を受けるように構成される経路であって、前記経路は、特徴的なジオミトリが、イメージング座標系及び光学形状検出座標系の間でレジストレーションを可能にするために前記イメージングプローブを使って集められる画像内においてテンプレートパターンを提供するように、前記光学形状検出装置を形成するための前記特徴的なジオミトリを含む、経路と
を有する、レジストレーション装置。
【請求項２】
前記経路はその中の前記光学形状検出装置を受けるためのルーメンを含む、請求項１に記載の装置。
【請求項３】
前記経路は、その遠位端部に結合される器具を有する前記光学形状検出装置を受けるために開けられるように構成されるスプリットルーメンを含む、請求項１に記載の装置。
【請求項４】
前記アタッチメントピースはその中に前記イメージングプローブを受けるための輪郭内部プロファイルを含む、請求項１に記載の装置。
【請求項５】
前記経路は前記プローブのケーブルに沿って縦方向に延在し、前記経路は前記ケーブルの外部に結合される保護ルーメンを含む、請求項１に記載の装置。
【請求項６】
前記イメージングプローブは内部超音波プローブを含む、請求項１に記載の装置。
【請求項７】
前記イメージングプローブは外部超音波プローブを含む、請求項１に記載の装置。
【請求項８】
イメージングシステムのためのイメージングプローブに適合すると共に結合されるように構成されるアタッチメントピースと、
光学形状検出装置が、前記アタッチメントピース内又は上に形成され、経路内において縦方向のねじれを可能にするために自由にフロートすることができるように、前記光学形状検出装置を受けるように構成される経路であって、前記経路は、特徴的なジオミトリが、前記イメージングプローブを使って集められる画像内においてテンプレートパターンを提供するように、前記光学形状検出装置を形成するための前記特徴的なジオミトリを含む、経路と、
イメージング座標系及び光学形状検出座標系の間でレジストレーションを可能にするために、前記テンプレートパターンを含む画像と、前記テンプレートパターンに一致する、メモリに記憶される形状テンプレートを比較するように構成される、レジストレーションモジュールと
を有する、レジストレーションシステム。
【請求項９】
前記レジストレーションモジュールは前記形状テンプレート及び前記テンプレートパターン間の変換を計算する、請求項８に記載のシステム。
【請求項１０】
前記経路は、その中の前記光学形状検出装置を受けるためのルーメンを含む、請求項８に記載のシステム。
【請求項１１】
前記経路は、その遠位端部に結合される器具を有する前記光学形状検出装置を受けるために開けられるように構成されるスプリットルーメンを含む、請求項８に記載のシステム。
【請求項１２】
前記アタッチメントピースはその中に前記イメージングプローブを受けるための輪郭内部プロファイルを含む、請求項８に記載のシステム。
【請求項１３】
前記経路は前記プローブのケーブルに沿って縦方向に延在し、前記経路は前記ケーブルの外部に結合される保護ルーメンを含む、請求項８に記載のシステム。
【請求項１４】
前記イメージングプローブは外部超音波プローブを含む、請求項８に記載のシステム。
【請求項１５】
アタッチメントピースをイメージングプローブに接続するステップであって、前記アタッチメントピースはイメージングシステムのための前記イメージングプローブに適合すると共に結合されるように構成される、ステップと、
前記アタッチメントピース内又は上に形成される経路において光学形状検出装置を位置させるステップであって、前記経路は、前記光学形状検出装置が前記経路内における縦方向のねじれを可能にするように自由にフロートすることを可能にし、前記経路は、特徴的なジオミトリが、前記イメージングプローブを使って集められる画像内においてテンプレートパターンを提供するように、前記光学形状検出装置を形成するための前記特徴的なジオミトリを含む、ステップと、
イメージング座標系及び光学形状検出座標系の間でレジストレーションするために、前記テンプレートパターンに一致する、メモリに記憶される形状テンプレートを、前記テンプレートパターンを含む画像にレジストレーションするステップと
を含む、レジストレーションのための方法。